(57)【要約】      （修正有）【課題】ユーザの撮影時の感情に応じた画像を容易に検索する。【解決手段】撮像装置は、被写体を撮像して画像データを取得する撮像部４と、所望の画像データを得るための撮像モードを設定する撮像モード設定部２と、画像データに画像処理を施す画像処理部５と、撮像モード設定部２で設定可能な撮像モード、および、撮像モードが設定される際のユーザの感情を表す感情キーワードの相関関係を表す関連付けデータを記憶するデータ記憶部７と、関連付けデータを参照して、撮像モード設定部２で設定された撮像モードに対応する感情キーワードを少なくとも１つ抽出する感情キーワード抽出部８と、抽出された感情キーワードを、画像処理が施された画像データとともに記録する記録部９とを備える。【選択図】図１
2011166405.tif 000002
【特許請求の範囲】
【請求項１】
被写体を撮像して画像データを取得する撮像部と、
所望の画像データを得るための撮像モードを設定する撮像モード設定部と、
前記画像データに画像処理を施す画像処理部と、
前記撮像モード設定部で設定可能な撮像モードと、前記撮像モードが設定される際のユーザの感情を表す感情キーワードとの相関関係を表す関連付けデータを記憶するデータ記憶部と、
前記関連付けデータを参照して、前記撮像モード設定部で設定された撮像モードに対応する感情キーワードを少なくとも１つ抽出する感情キーワード抽出部と、
抽出された前記感情キーワードを、前記画像処理が施された画像データとともに記録する記録部と、
を備えることを特徴とする撮像装置。
【請求項２】
前記関連付けデータでは、各撮像モードで設定可能な複数の設定値の各々に対して、前記感情キーワードに応じた重み付け係数が設定されていることを特徴とする請求項１に記載の撮像装置。
【請求項３】
前記感情キーワード抽出部は、前記撮像モード設定部で設定された撮像モードの設定値に基づいて前記関連付けデータを参照することによって、感情キーワードごとに重み付け係数を求め、求めた重み付け係数に基づいて最も重み付けが大きい感情キーワードを抽出することを特徴とする請求項２に記載の撮像装置。
【請求項４】
前記感情キーワード抽出部は、前記撮像モード設定部で設定された撮像モードの設定値に基づいて前記関連付けデータを参照することによって、感情キーワードごとに重み付け係数を求め、求めた重み付け係数に基づいて重み付けが大きい順に所定数の感情キーワードを抽出することを特徴とする請求項２に記載の撮像装置。
【請求項５】
前記記録部は、前記画像処理が施された画像データおよび抽出された所定数の感情キーワードとともに、抽出された所定数の感情キーワードに対応する重み付けも記録することを特徴とする請求項４に記載の撮像装置。
【請求項６】
前記感情キーワード抽出部によって重み付けが大きい順に抽出された所定数の感情キーワードの順位付けを修正する修正部をさらに備え、
前記記録部は、前記画像処理が施された画像データとともに、前記順位付けが修正された感情キーワードを記録することを特徴とする請求項４または請求項５に記載の撮像装置。
【請求項７】
前記撮像モード設定部は、画像処理に関わるモードおよび撮像制御に関わるモードのうちの少なくとも一方のモードを前記撮像モードとして設定することを特徴とする請求項１から請求項６のいずれか一項に記載の撮像装置。
【請求項８】
前記画像処理に関わるモードには、特殊効果、露出補正、コントラスト補正、彩度補正、シャープネス補正、および、ホワイトバランス補正のうちの少なくとも１つが含まれ、
前記撮像制御に関わるモードには、撮影間隔が含まれることを特徴とする請求項７に記載の撮像装置。
【請求項９】
被写体を撮像することによって得られる画像データに対して画像処理を施して、画像処理後の画像データを記録する撮像方法であって、
所望の画像データを得るための撮像モードを設定するステップと、
設定可能な撮像モードと、前記撮像モードが設定される際のユーザの感情を表す感情キーワードとの相関関係を表す関連付けデータを参照して、設定した前記撮像モードに対応する感情キーワードを少なくとも１つ抽出するステップと、
抽出した前記感情キーワードを、前記画像処理後の画像データとともに記録するステップと、
を備えることを特徴とする撮像方法。
【発明の詳細な説明】
【技術分野】
【０００１】
本発明は、撮像により得られた画像データを、撮影者の感情を表す情報とともに記録する技術に関する。
【背景技術】
【０００２】
従来、画像を保存する際に、画像内のシーンを抽出し、抽出した画像内のシーンに応じた感性表現をキーワードとして求めて、画像とともに保存する技術が知られている（特許文献１参照）。この技術によれば、ユーザは、感性表現に対応した画像を効率良く検索することができる。
【先行技術文献】
【特許文献】
【０００３】
【特許文献１】特開２００４−５５３４号公報
【発明の概要】
【発明が解決しようとする課題】
【０００４】
しかしながら、従来の技術では、画像とともに保存する感性表現キーワードを、画像内の被写体に基づいて求めているので、ユーザは、撮影者の撮影時の感情に応じた画像を検索することができないという問題があった。
【０００５】
本発明は、撮影者の撮影時の感情に応じた画像の検索を容易にする技術を提供することを目的とする。
【課題を解決するための手段】
【０００６】
本発明のある態様に係る撮像装置は、被写体を撮像して画像データを取得する撮像部と、所望の画像データを得るための撮像モードを設定する撮像モード設定部と、前記画像データに画像処理を施す画像処理部と、前記撮像モード設定部で設定可能な撮像モードと、前記撮像モードが設定される際のユーザの感情を表す感情キーワードとの相関関係を表す関連付けデータを記憶するデータ記憶部と、前記関連付けデータを参照して、前記撮像モード設定部で設定された撮像モードに対応する感情キーワードを少なくとも１つ抽出する感情キーワード抽出部と、抽出された前記感情キーワードを、前記画像処理が施された画像データとともに記録する記録部と、を備える。
【０００７】
本発明の別の態様に係る撮像方法は、被写体を撮像することによって得られる画像データに対して画像処理を施して、画像処理後の画像データを記録する撮像方法であって、所望の画像データを得るための撮像モードを設定するステップと、設定可能な撮像モードと、前記撮像モードが設定される際のユーザの感情を表す感情キーワードとの相関関係を表す関連付けデータを参照して、前記撮像モードに対応する感情キーワードを少なくとも１つ抽出するステップと、抽出した前記感情キーワードを、前記画像処理後の画像データとともに記録するステップと、を備える。
【発明の効果】
【０００８】
本発明によれば、撮影者の撮影時の感情に応じた画像を容易に検索することができる。
【図面の簡単な説明】
【０００９】
【図１】図１は、第１の実施形態における撮像装置の概略構成を示すブロック図である。
【図２】撮像モード設定部で設定可能な撮像モードの種類の一例を示す図である。
【図３】第１の実施形態における撮像装置によって行われる撮影時の処理内容を示すフローチャートである。
【図４】関連付けテーブルに格納されているデータの一例を示す図である。
【図５】画像データを記憶媒体に記録する際の記録フォーマットの一例を示す図である。
【図６】画像データとともに、感情キーワードおよび重み付け係数を記録する例を示す図である。
【図７】第２の実施形態の変形例における撮像装置の概略構成を示すブロック図である。
【図８】図６に示す感情キーワードが抽出された場合に、感情キーワード修正部で修正された感情キーワードの一例を示す図である。
【図９】第３の実施形態における撮像装置の概略構成を示すブロック図である。
【図１０】第３の実施形態における撮像装置によって行われる編集時の処理内容を示すフローチャートである。
【図１１】第４の実施形態における撮像装置の概略構成を示すブロック図である。
【図１２】第５の実施形態における撮像装置の概略構成を示すブロック図である。
【発明を実施するための形態】
【００１０】
−第１の実施形態−
図１は、第１の実施形態における撮像装置の概略構成を示すブロック図である。撮像装置は、例えば、デジタルスチルカメラである。第１の実施形態における撮像装置は、ユーザインタフェース１（以下、ユーザＩ／Ｆ１と呼ぶ）と、撮像モード設定部２と、撮像制御部３と、撮像部４と、画像処理部５と、圧縮部６と、関連付けテーブル７と、感情キーワード抽出部８と、記録部９と、表示部１０と、記憶媒体１１とを有する。
【００１１】
撮像モード設定部２は、ユーザＩ／Ｆ１を介して入力されるユーザからの指令に基づいて、所望の画像データを得るための様々な撮像モードを設定する。撮像モードには、画像処理に関わるモードおよび撮像制御に関わるモードが含まれる。各撮像モードでは、複数の設定値が設定可能である。
【００１２】
図２は、撮像モード設定部２で設定可能な撮像モードの種類の一例を示す図である。図２に示す例では、設定可能な撮像モードの種類として、特殊効果、露出補正、コントラスト補正、彩度補正、シャープネス補正、ホワイトバランス補正、撮影間隔が挙げられている。これらの撮像モードのうち、撮影間隔は撮像制御に関わるモードであり、撮影間隔以外の撮像モードは、画像処理に関わるモードである。ただし、撮像モードの種類が図２に示すものに限定されることはない。
【００１３】
設定可能な特殊効果としては、画像を適度にぼかすソフトフォーカス処理、モノクロ画像を生成するためのモノクロ処理、セピア調の画像を生成するためのセピア処理、イラストを描いたような画像を生成するためのイラスト調処理、ミニチュアの世界のような雰囲気を表現するミニチュア処理、色をカラフルに強調する色誇張処理等がある。図２において、「なし」とは、特殊効果を施さない設定のことである。
【００１４】
露出補正では、ＥＶ値で−３．０から＋３．０の範囲内で露出の補正が可能である。コントラスト補正では、コントラストを低くする設定、コントラストを高くする設定、コントラストを変更しない設定が可能である。
【００１５】
彩度補正では、彩度を低くする設定、彩度を高くする設定、彩度を変更しない設定が可能である。シャープネス補正では、輪郭部分のコントラストを低くする設定、輪郭部分のコントラストを高くする設定、輪郭部分のコントラストを変更しない設定が可能である。
【００１６】
ホワイトバランス補正では、色温度が高い暖色系の光源に応じたホワイトバランス補正を行うための設定、色温度が低い寒色系の光源に応じたホワイトバランス補正を行うための設定、ホワイトバランスを変更しない設定が可能である。
【００１７】
撮影間隔としては、短い撮影間隔（例えば、０．１秒）で複数枚の画像を撮影する連写設定、１回のレリーズボタン操作で１枚の画像を得る単写設定、タイマー設定により、連写撮影時の撮影間隔より長い時間間隔（例えば、１分）で複数枚の画像を撮影するスロー設定がある。
【００１８】
撮像制御部３は、ユーザＩ／Ｆ１を介して入力されるユーザからの撮影指令に基づいて、撮像モード設定部２で設定された撮像モードで撮影が行われるように、撮像部４を制御する。撮像部４は、例えば、図示しないレンズにより集光された光を、画素を構成するフォトダイオードで受光して光電変換することで、画像データを得る。
【００１９】
画像処理部５は、撮像部４による撮像によって得られた画像データに対して、撮像モード設定部２で設定された撮像モードに応じた画像処理を施す。画像処理が施された画像データは、圧縮部６に送られるとともに、表示部１０に送られて表示される。
【００２０】
圧縮部６は、画像処理が施された画像データをＪＰＥＧなどの所定の圧縮形式にて圧縮する。圧縮後の画像データは、記録部９に送られる。
【００２１】
関連付けテーブル７には、撮像モードと感情キーワードとを対応付けた関連付けデータが格納されている。撮像モードと感情キーワードとを対応付けた関連付けデータの詳細については、図４を用いて後述する。
【００２２】
感情キーワード抽出部８は、撮像モード設定部２で設定された撮像モードに基づいて、関連付けテーブル７に格納されている関連付けデータを参照することにより、撮像時の撮像モードに応じた感情キーワードを抽出する。
【００２３】
記録部９は、感情キーワード抽出部８で抽出された感情キーワードを、圧縮部６で圧縮された画像データとともに、記憶媒体１１に記録する。
【００２４】
図３は、第１の実施形態における撮像装置によって行われる撮影時の処理内容を示すフローチャートである。ユーザが図示しないレリーズボタンを操作することによって、ユーザＩ／Ｆ１を介して撮影指令が入力されると、ステップＳ３１０の処理が開始される。
【００２５】
ステップＳ３１０において、感情キーワード抽出部８は、設定された撮像モードの情報を撮像モード設定部２から取得する。
【００２６】
ステップＳ３２０において、感情キーワード抽出部８は、ステップＳ３１０で取得した撮像モードに基づいて、関連付けテーブル７に格納されている関連付けデータを参照する。
【００２７】
図４は、関連付けテーブル７に格納されている関連付けデータの一例を示す図である。各撮像モードにおけるそれぞれの設定値に対して、複数の感情キーワードに応じた重み係数が設定されている。感情キーワードは、撮像モードが設定された時、すなわち、撮像時のユーザの感情を表す情報である。図４に示す例では、複数の感情キーワードとして、「楽しい」、「哀しい」、「爽やか」、「安らぐ」、「怖い」、「激しい」、「不思議」、「普通」が挙げられているが、感情キーワードがこれらに限定されることはない。
【００２８】
感情キーワードの重み係数は、各撮影モードの設定値と関連性が高いと考えられる場合の数値を１より高くし、関連性が低いと考えられる場合の数値を１より低く設定している。例えば、特殊効果のソフトフォーカスに対して、「安らぐ」の重み係数を４、「爽やか」と「不思議」の重み係数を２に設定し、「怖い」と「普通」の重み係数を０に設定している。また、コントラストを高くする補正については、「楽しい」と「激しい」の重み係数を２、「安らぐ」と「普通」の重み係数を０．５に設定している。これらの重み係数は、各撮影モードの設定値と各感情キーワードとの関連性を考慮して、適切な値を予め設定しておく。
【００２９】
ステップＳ３３０において、感情キーワード抽出部８は、撮像モードの設定値に対応する重みを感情キーワードごとに算出し、最も重みの大きい感情キーワードを抽出する。最も重みの大きい感情キーワードとは、各撮像モードの設定値に対して最も関連性が高いと考えられる感情キーワードであって、撮影を行う際の撮影者の感情を最も表していると考えられるキーワードである。ここでは、感情キーワードごとに、各撮像モードの設定値に対応する重み係数を求め、求めたそれぞれの重み係数を乗算した結果が最も大きい感情キーワードを抽出する。例えば、撮像モードの設定値が
特殊効果：ソフトフォーカス
露出補正：ＥＶ＞１
コントラスト補正：低
彩度補正：なし
シャープネス補正：低
ホワイトバランス補正：暖色
撮影間隔：単写
の場合、各感情キーワードの重み（乗算結果）は、以下のようになる。
楽しい：１×２×０．５×１×１×２×１＝２
哀しい：１×０．５×１×１×１×０．５×１＝０．２５
爽やか：２×２×１×１×１×１×１＝４
安らぐ：４×１×２×１×２×１×１＝１６
怖い  ：０×０．５×１×１×１×０．５×１＝０
激しい：０×１×０．５×１×０．５×０．５×１＝０
不思議：２×１×１×１×１×１×１＝２
普通  ：０×０．５×０．５×２×０．５×０．５×２＝０
上述した例では、「安らぐ」の重みが最も大きいので、「安らぐ」が感情キーワードとして抽出される。
【００３０】
なお、最も重みの大きい感情キーワードが複数ある場合には、それら複数の感情キーワードを抽出する。
【００３１】
ステップＳ３４０において、撮像制御部３は、撮像モード設定部２で設定された撮像モードで撮影が行われるように、撮像部４を制御する。この後、画像処理部５は、撮像部４による撮像によって得られた画像データに対して、撮像モード設定部２で設定された撮像モードに応じた画像処理を施し、圧縮部６は、画像処理が施された画像データを所定の圧縮形式にて圧縮する。
【００３２】
ステップＳ３５０において、記録部９は、ステップＳ３３０で抽出された感情キーワードを、ステップＳ３４０の処理で得られた圧縮後の画像データとともに、記憶媒体１１に記録する。
【００３３】
図５は、画像データを記憶媒体１１に記録する際の記録フォーマットの一例を示す図である。記録データのヘッダ部５１には、抽出された感情キーワード（図５に示す例では、安らぐ）が格納され、画像データ部５２には、圧縮後の画像データが格納される。これにより、画像データと感情キーワードとが対応付けられた形で記録される。
【００３４】
なお、感情キーワードとともに、感情キーワードを抽出する際に求めた重み係数（各重み係数の乗算結果）も一緒に記録するようにしてもよい。例えば、上述した例において、「安らぐ」の重み係数は１６であるので、図５に示す記録データのヘッダ部５１に、抽出した感情キーワード「安らぐ」とともに、重み係数「１６」を格納する。
【００３５】
以上、第１の実施形態における撮像装置によれば、撮像モード設定部２で設定可能な撮像モードと、撮像モードが設定される際のユーザの感情を表す感情キーワードとの相関関係を表す関連付けデータを記憶しておく。そして、関連付けデータを参照して、撮像モード設定部２で設定された撮像モードに対応する感情キーワードを少なくとも１つ抽出し、抽出した感情キーワードを、画像処理が施された画像データとともに記録する。これにより、画像データとともに記録されている感情キーワードを手掛かりとして、記憶媒体１１に記録されている複数の画像の中から、撮影者の撮影時の感情に応じた画像を検索することができる。
【００３６】
また、関連付けデータでは、各撮像モードで設定可能な複数の設定値の各々に対して、感情キーワードに応じた重み付け係数が設定されている。感情キーワード抽出部８は、撮像モード設定部２で設定された撮像モードの設定値に基づいて、感情キーワードごとに重み付け係数を求め、求めた重み付け係数に基づいて最も重み付けが大きい感情キーワードを抽出する。これにより、撮影者の撮影時の感情に対応した適切な感情キーワードを抽出することができる。
【００３７】
−第２の実施形態−
第１の実施形態における撮像装置では、画像データとともに記録する感情キーワードとして、撮影を行う際の撮影者の感情を最も表していると考えられるキーワード、すなわち、最も重み係数が大きい感情キーワードを抽出した。第２の実施形態における撮像装置では、重み係数が大きい順に、複数の感情キーワードを抽出して、画像データとともに記録する。
【００３８】
図３に示すフローチャートにおいて、第１の実施形態における処理と異なるのは、ステップＳ３３０およびステップＳ３５０の処理である。まず始めに、第２の実施形態におけるステップＳ３３０の処理を以下で説明する。
【００３９】
感情キーワード抽出部８は、各撮像モードの設定値に対応する重みを感情キーワードごとに算出し、重みの大きい順に、所定数（例えば、５個）の感情キーワードを抽出する。感情キーワードごとの重み（重み係数）の算出方法は、第１の実施形態で説明した方法と同じであるため、詳しい説明は省略する。第１の実施形態で説明した感情キーワードの重み係数の例では、所定数を５個とすると、重みの大きい順に、「安らぐ」、「爽やか」、「楽しい」、「不思議」、「哀しい」の感情キーワードが抽出される。
【００４０】
なお、感情キーワードごとに算出した重みが同じとなる場合があることを考慮して、各感情キーワードの優先順位を予め求めておいてもよい。これにより、算出した重みが同じとなる感情キーワードが存在する場合に、優先順位の高い感情キーワードを優先的に抽出することができる。
【００４１】
続いて、第２の実施形態におけるステップＳ３５０の処理について説明する。記録部９は、抽出された所定数の感情キーワードを、圧縮後の画像データとともに記憶媒体１１に記録する。ここで、各感情キーワードに重み付け係数を対応させて一緒に記録するようにしてもよい。
【００４２】
図６は、画像データとともに、感情キーワードおよび重み付け係数を記録する例を示す図である。記録データのヘッダ部６１には、重み付け係数の大きい順に、抽出された所定数（図６に示す例では、５個）の感情キーワードが重み付け係数とともに格納され、画像データ部６２には、圧縮後の画像データが格納される。
【００４３】
これにより、記録された複数の画像の中から、例えば、「爽やかで安らぐ画像」のように、複数の感情キーワードに基づいた高度な画像検索が可能となる。
【００４４】
以上、第２の実施形態における撮像装置によれば、感情キーワード抽出部８は、撮像モード設定部２で設定された撮像モードの設定値に基づいて、各感情キーワードごとに重み付け係数を求め、求めた重み付け係数に基づいて重み付けが大きい順に所定数の感情キーワードを抽出する。これにより、１つの画像データに対して、複数の感情キーワードを対応付けて記録することができるので、複数の感情キーワードに基づいた高度な画像検索が可能となる。
【００４５】
−第２の実施形態の変形例−
第２の実施形態における撮像装置では、画像データとともに複数の感情キーワードを対応付けて記録した。ここで、抽出された複数の感情キーワードの順位付けをユーザが修正できるようにしてもよい。
【００４６】
図７は、第２の実施形態の変形例における撮像装置の概略構成を示すブロック図である。図１に示す第１の実施形態における撮像装置の構成と同じ構成要素については、同一の符号を付して詳しい説明は省略する。第２の実施形態の変形例における撮像装置は、第１の実施形態における撮像装置に対して、感情キーワード修正部７０をさらに備える。
【００４７】
感情キーワード抽出部８で抽出された所定数の感情キーワードは、記録部９に送られるとともに、表示部１０に送られて表示される。ユーザは、表示部１０に表示された所定数の感情キーワードの順位付けが自分の意図と異なる場合に、感情キーワードの順位付けを修正することができる。
【００４８】
感情キーワード修正部７０は、ユーザＩ／Ｆ１を介して入力されるユーザの修正指令に基づいて、感情キーワード抽出部８で抽出された感情キーワードの順位付けを修正する。
【００４９】
図８は、感情キーワード抽出部８によって図６に示す順位で感情キーワードが抽出された場合に、感情キーワード修正部７０で順位付けが修正された感情キーワードの一例を示す図である。ユーザは、図６に示す５つの感情キーワードが表示部１０に表示された場合に、撮影時の自分の感情として、「哀しい」が最も適切であると判断すると、「哀しい」の感情キーワードの順位が１位になるように指令を出す。この指令は、例えば、表示部１０に表示されている５つの感情キーワードのうち、「哀しい」を選択することにより行う。これにより、図８に示すように、「哀しい」の感情キーワードの順位が１位となる。図８に示す例では、「哀しい」の重み係数を、修正前に感情キーワードの順位が１位であった「安らぐ」の重み係数１６より大きい１７としている。修正されない他の感情キーワードの重み係数は、そのままである。
【００５０】
以上、第２の実施形態の変形例によれば、感情キーワード修正部７０は、感情キーワード抽出部８で抽出された複数の感情キーワードの順位付けを修正するので、ユーザは、抽出された複数の感情キーワードの順位付けを、自分の意図に応じて修正することができる。これにより、撮影者の撮影時の感情に応じた画像を確実に検索することができる。
【００５１】
−第３の実施形態−
デジタルスチルカメラでは、過去の撮像により得られた画像データを記憶媒体から読み出して編集処理を行う編集モード機能を備えている場合がある。第３の実施形態における撮像装置では、過去の撮像により得られた画像データを編集する際に、編集モードに応じて感情キーワードを抽出し、編集後の画像データとともに記録する。過去の撮像により得られた画像データは、同時化処理等が施されていないＲＡＷ画像データとする。
【００５２】
図９は、第３の実施形態における撮像装置の概略構成を示すブロック図である。図１に示す第１の実施形態における撮像装置の構成と同じ構成要素については、同一の符号を付して詳しい説明は省略する。第３の実施形態における撮像装置の構成の特徴は、編集モード設定部９０を備えていることである。なお、図９では、図１に示す撮像モード設定部２、撮像制御部３、および、撮像部４を省略したが、これらを備えていてもよい。
【００５３】
編集モード設定部９０は、ユーザＩ／Ｆ１を介して入力されるユーザからの指令に基づいて、画像データの編集モードを設定する。編集モードの種類は、例えば、図２に示す撮像モードの種類のうち、「撮影間隔」以外のものとする。
【００５４】
画像処理部５Ａは、記憶媒体１１から編集対象のＲＡＷ画像データを読み出して、編集モード設定部９０で設定された編集モードに応じた画像処理を施す。
【００５５】
感情キーワード抽出部８Ａは、編集モード設定部９０で設定された編集モードに基づいて、関連付けテーブル７に格納されている関連付けデータを参照することにより、編集モードに応じた感情キーワードを抽出する。編集モードに応じた感情キーワードの抽出方法は、第１の実施形態における撮像モードに応じた感情キーワードの抽出方法と同じである。
【００５６】
記録部９は、感情キーワード抽出部８Ａで抽出された感情キーワードを、圧縮部６で圧縮された画像データとともに、記憶媒体１１に記録する。
【００５７】
図１０は、第３の実施形態における撮像装置によって行われる画像データ編集時の処理内容を示すフローチャートである。ユーザＩ／Ｆ１を介して、画像データの編集指令が入力されると、ステップＳ１０１０の処理が開始される。
【００５８】
ステップＳ１０１０において、感情キーワード抽出部８Ａは、設定された編集モードの情報を編集モード設定部９０から取得する。
【００５９】
ステップＳ１０２０において、感情キーワード抽出部８Ａは、ステップＳ１０１０で取得した編集モードに基づいて、関連付けテーブル７に格納されている関連付けデータを参照する。
【００６０】
ステップＳ１０３０において、感情キーワード抽出部８Ａは、編集モードの設定に対応する重みを感情キーワードごとに算出し、最も重みの大きい感情キーワードを抽出する。上述したように、感情キーワードの抽出は、図３に示すフローチャートのステップＳ３３０で行う感情キーワードの抽出と同じ方法を用いる。
【００６１】
ステップＳ１０４０において、画像処理部５Ａは、記憶媒体１１から編集対象のＲＡＷ画像データを読み出して、編集モード設定部９０で設定された編集モードに応じた画像処理を施す。この後、圧縮部６において、画像処理が施された画像データを所定の圧縮形式で圧縮する処理が行われる。
【００６２】
ステップＳ１０５０において、記録部９は、ステップＳ１０３０で抽出された感情キーワードを、ステップＳ１０４０の処理で得られた圧縮後の画像データとともに、記憶媒体１１に記録する。
【００６３】
なお、ステップＳ１０３０で抽出する感情キーワードは、第１の実施形態のように１つとしてもよいし、第２の実施形態のように複数としてもよい。
【００６４】
以上、第３の実施形態における撮像装置によれば、過去の撮像により得られた画像データを編集する際に、編集モードに応じて感情キーワードを抽出して、編集後の画像データとともに記録する。これにより、画像データを編集する編集者の編集時の感情に応じた画像を検索することができる。
【００６５】
−第４の実施形態−
第４の実施形態における撮像装置では、撮像モードに基づいて抽出した感情キーワードをユーザが認識できるようにする。
【００６６】
図１１は、第４の実施形態における撮像装置の概略構成を示すブロック図である。図１に示す第１の実施形態における撮像装置の構成と同じ構成要素については、同一の符号を付して詳しい説明は省略する。第４の実施形態における撮像装置は、図１に示す第１の実施形態における撮像装置の構成に対して、音声選択部１１０およびスピーカ１１１をさらに備える。
【００６７】
感情キーワード抽出部８で抽出された感情キーワードは、記録部９とともに、表示部１０および音声選択部１１０に送られる。表示部１０は、感情キーワード抽出部８で抽出された感情キーワードを表示する。感情キーワードの表示は、画像処理部５で画像処理が施された画像データの表示と同時に行ってもよいし、異なるタイミングで行ってもよい。
【００６８】
音声選択部１１０は、感情キーワード抽出部８で抽出された感情キーワードに応じた音を選択する。ここでは、選択する音として、シャッタ音を一例に挙げる。例えば、抽出された感情キーワードが「安らぐ」の場合には、小さいシャッタ音を選択し、「激しい」の場合には、大きいシャッタ音を選択する。感情キーワードに応じた音を選択するために、例えば、各感情キーワードと選択する音とを対応付けたデータを予め用意しておく。
【００６９】
音声選択部１１０で選択された音は、スピーカ１１１から出力される。上述したシャッタ音の場合には、レリーズボタンが操作されたタイミングで、選択したシャッタ音をスピーカ１１１から出力する。
【００７０】
なお、画像データを表示部１０に表示させる際に、感情キーワード抽出部８で抽出された感情キーワードに応じた表示を行うようにしてもよい。例えば、抽出した感情キーワードに応じて、フレームの枠の色を変更したり、表示する文字の色を変更することができる。
【００７１】
以上、第４の実施形態における撮像装置によれば、撮像モードに基づいて抽出された感情キーワードに応じて、表示部１０の表示および／またはスピーカ１１１の出力音を変更するので、ユーザは、感情キーワードを視認および／または聴認することができる。
【００７２】
−第５の実施形態−
図１２は、第５の実施形態における撮像装置の概略構成を示すブロック図である。図１に示す第１の実施形態における撮像装置の構成と同じ構成要素については、同一の符号を付して詳しい説明は省略する。第５の実施形態における撮像装置は、図１に示す第１の実施形態における撮像装置の構成に対して、感情キーワード設定部１２０および画像検索部１２１をさらに備える。
【００７３】
ユーザは、記憶媒体１１に記録されている複数の画像の中から、所望の画像を検索するために、ユーザＩ／Ｆ１を介して感情キーワードを入力する。感情キーワード設定部１２０は、ユーザ入力に基づいて、感情キーワードを設定する。
【００７４】
画像検索部１２１は、記憶媒体１１に記録されている複数の画像の中から、感情キーワード設定部１２０で設定された感情キーワードとともに記録されている画像データを検索する。例えば、感情キーワード設定部１２０で設定されたキーワードが「爽やか」である場合には、「爽やか」の感情キーワードとともに記録されている画像データを検索する。画像検索部１２１で検索された画像データは、表示部１０に表示される。画像検索部１２１で検索された画像データが複数ある場合には、それら複数の画像データを、例えばサムネイル表示にて表示する。
【００７５】
なお、感情キーワードとともに重み係数も一緒に記録している場合には、画像検索部１２１で検索された複数の画像データをサムネイル表示する際に、重み係数の高い順に表示することが好ましい。これにより、ユーザは、画像検索のために入力した感情キーワードと関連性の高い画像を優先的に探し出すことができる。
【００７６】
以上、第５の実施形態における撮像装置によれば、ユーザは、感情キーワードに基づいて、撮影者の撮影時の感情に応じた画像を検索することができる。
【００７７】
なお、上述した第１〜第５の実施形態の説明では、撮像装置が行う処理としてハードウェアによる処理を前提としていたが、このような構成に限定される必要はない。例えば、別途ソフトウェアにて処理する構成も可能である。この場合、コンピュータは、ＣＰＵ、ＲＡＭ等の主記憶装置、上記処理の全て或いは一部を実現させるためのプログラムが記憶されたコンピュータ読み取り可能な記憶媒体を備えている。ここでは、このプログラムを撮像プログラムと呼ぶ。そして、ＣＰＵが上記記憶媒体に記憶されている撮像プログラムを読み出して、情報の加工・演算処理を実行することにより、上述の撮像装置と同様の処理を実現させる。
【００７８】
ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、この撮像プログラムを通信回線によってコンピュータに配信し、この配信を受けたコンピュータが当該撮像プログラムを実行するようにしても良い。
【００７９】
本発明は、上述した第１〜第５の実施形態に限定されるものではなく、本発明の要旨を逸脱しない範囲内で様々な変形や応用が可能である。例えば、第１および第２の実施形態における撮像装置では、撮像モードの設定値に基づいて、各感情キーワードごとに重み付け係数を求め、求めた重み付け係数に基づいて、感情キーワードを抽出したが、撮像モードとともに、撮像画像の被写体も考慮して、感情キーワードを抽出するようにしてもよい。すなわち、撮像画像を解析して被写体を抽出し、抽出した被写体に基づいて各感情キーワードごとに重み付け係数を求め、撮像モードに基づいて求めた重み付け係数と組み合わせて、感情キーワードを抽出する。さらに、被写体の顔の表情を検出して、被写体の顔の表情をも考慮して感情キーワードを抽出するようにしてもよい。
【００８０】
上述した第１の実施形態では、感情キーワードごとに、各撮像モードの設定値に対応する重み係数を求め、求めたそれぞれの重み係数を乗算した結果が最も大きい感情キーワードを抽出した。しかし、例えば、各撮像モードの設定値に対応する重み係数を求め、求めたそれぞれの重み係数を加算した結果が最も大きい感情キーワードを抽出するようにしてもよい。
【００８１】
撮像モードには、画像処理に関わるモードおよび撮像制御に関わるモードが含まれるものとして説明したが、画像処理に関わるモードおよび撮像制御に関わるモードのうちの一方のモードのみが含まれていてもよい。
【００８２】
撮像装置は、デジタルスチルカメラに限定されることはなく、デジタルビデオカメラやカメラ付き携帯電話など、撮像機能を有するものであればよい。
【符号の説明】
【００８３】
１…ユーザＩ／Ｆ
２…撮像モード設定部
３…撮像制御部
４…撮像部
５、５Ａ…画像処理部
６…圧縮部
７…関連付けテーブル
８、８Ａ…感情キーワード抽出部
９…記録部
１０…表示部
１１…記憶媒体
７０…感情キーワード修正部
９０…編集モード設定部
１１０…音声選択部
１１１…スピーカ
１２０…感情キーワード設定部
１２１…画像検索部
【図１】
2011166405.tif 000003
【図２】
2011166405.tif 000004
【図３】
2011166405.tif 000005
【図４】
2011166405.tif 000006
【図５】
2011166405.tif 000007
【図６】
2011166405.tif 000008
【図７】
2011166405.tif 000009
【図８】
2011166405.tif 000010
【図９】
2011166405.tif 000011
【図１０】
2011166405.tif 000012
【図１１】
2011166405.tif 000013
【図１２】
2011166405.tif 000014